(57)【要約】  【課題】  携帯電話の所有者が、外出中に携帯電話の電池切れに遭遇した場合に、街頭で手軽に携帯電話を接続して、楽しみながら充電することを可能にする。  【解決手段】  筐体１の側面に手回しハンドル２を設置し、その回転軸に腕力発電機を接続する。同時に、筐体１の下端前面に、踏み板１４がコイルばね１３により昇降自在に支持された踏み台１１設置し、踏み板１４の昇降動作がギヤ１５と歯車列１７により脚力発電機１８に伝達するように構成する。これら腕力発電機と脚力発電機１８の出力を筐体１に設置された出力端子７，８へ送る。使用する場合は、携帯電話の充電端子を出力端子７，８へ装着してから、手回しハンドル２を回したり、踏み板１４の上に体重を乗せることで、腕力発電機や脚力発電機１８を回転駆動して、発電された電力を出力端子７，８へ送り、携帯電話を充電する。【選択図】  図１
0003103909.tif 000002
【実用新案登録請求の範囲】
【請求項１】
手回しハンドルと、
該手回しハンドルの回転軸に接続された腕力発電機と、
該腕力発電機の出力端に接続されるとともに携帯電話の充電端子が係脱自在に接続される出力端子と、
を備えたことを特徴とする携帯電話充電装置。
【請求項２】
地面に設置された踏み台と、
該踏み台を昇降自在に支持するとともに踏み台の昇降動作を回転運動に変換する昇降機構部と、
前記踏み台部に設置されて前記踏み台を上昇方向に付勢するばねと、
前記昇降機構部に接続されて回転駆動される脚力発電機と、
該脚力発電機の出力端に接続されるとともに携帯電話の充電端子が係脱自在に接続される出力端子と、
を備えたことを特徴とする携帯電話充電装置。
【請求項３】
手回しハンドルと、
該手回しハンドルの回転軸に接続された腕力発電機と、
地面に設置された踏み台と、
該踏み台を昇降自在に支持するとともに踏み台の昇降動作を回転運動に変換する昇降機構部と、
前記踏み台部に設置されて前記踏み台を上昇方向に付勢するばねと、
前記昇降機構部に接続されて回転駆動される脚力発電機と、
前記腕力発電機の出力端および前記脚力発電機の出力端に接続されるとともに携帯電話の充電端子が係脱自在に接続される出力端子と、
を備えたことを特徴とする携帯電話充電装置。
【請求項４】
請求項１乃至３のいずれかに記載の携帯電話充電装置において、
前記出力端子の出力電圧を表示する電圧計を備えたことを特徴とする携帯電話充電装置。
【請求項５】
請求項１乃至４のいずれかに記載の携帯電話充電装置において、
前記腕力発電機または／および前記脚力発電機に調速機を設置したことを特徴とする携帯電話充電装置。
【請求項６】
請求項１乃至５のいずれかに記載の携帯電話充電装置において、
前記各構成部を縦長の筐体に収納または取り付けるとともに、筐体前面上部に画像表示用の表示パネルを設置したことを特徴とする携帯電話充電装置。
【請求項７】
請求項６に記載の携帯電話充電装置において、
前記筐体前面に開閉扉を設置し前記筐体内部に折り畳み担架または／および人口呼吸補助マスクを収納したことを特徴とする携帯電話充電装置。
【請求項８】
請求項６または７に記載の携帯電話充電装置において、
前記筐体上方に広告用掲示板を設置したことを特徴とする携帯電話充電装置。
【請求項９】
請求項６乃至８のいずれかに記載の携帯電話充電装置において、
前記筐体に転倒防止用の取っ手を取り付けたことを特徴とする携帯電話充電装置。
【考案の詳細な説明】
【技術分野】
【０００１】
本考案は、人力により駆動される携帯電話充電装置に関し、詳しくは、携帯電話充電装置を街頭に設置しておき、外出中に携帯電話が電池切れになった携帯電話の所有者が、自由に携帯電話充電装置に携帯電話を接続して人力を用いて充電することを可能にした携帯電話充電装置に関する。
【背景技術】
【０００２】
従来、携帯電話の所有者は、携帯電話への充電を、帰宅後、自宅で夜間のうちに充電器に接続して行っていた。そのため、帰宅してからの充電を忘れてしまうと、翌日、外出中に携帯電話の電池が切れてしまうことがあった。いったん、携帯電話の電池が切れると、外出中では、通常、充電器を携帯していないため充電することができず、以後、携帯電話での通話ができない事態になり、不便であった。なお、携帯電話を外出中でも充電することのできる充電装置装置としては、特許文献１に記載の「携帯用発電機」があった。
【特許文献１】特開２００３−０４７１９９号公報
【考案の開示】
【考案が解決しようとする課題】
【０００３】
しかしながら、特許文献１に記載の「携帯用発電機」は、発電能力が充分ではなく、充電のため操作レバーを長時間操作しなければならず、退屈でもあり、苦痛でもあった。そこで、本考案は、自宅での充電を忘れた携帯電話の所有者が、外出中に携帯電話の電池切れに遭遇した場合に、街頭で手軽に携帯電話を接続して、楽しみながら充電することを可能にする携帯電話充電装置を提案することを目的とした。
【課題を解決するための手段】
【０００４】
上記課題を解決するために、本考案の携帯電話充電装置は、手回しハンドルと、該手回しハンドルの回転軸に接続された腕力発電機と、該腕力発電機の出力端に接続されるとともに携帯電話の充電端子が係脱自在に接続される出力端子とを備えたことを特徴とする。
また、本考案の携帯電話充電装置は、地面に設置された踏み台と、該踏み台を昇降自在に支持するとともに踏み台の昇降動作を回転運動に変換する昇降機構部と、前記踏み台部に設置されて前記踏み台を上昇方向に付勢するばねと、前記昇降機構部に接続されて回転駆動される脚力発電機と、該脚力発電機の出力端に接続されるとともに携帯電話の充電端子が係脱自在に接続される出力端子とを備えたことを特徴とする。
さらには、本考案の携帯電話充電装置は、手回しハンドルと、該手回しハンドルの回転軸に接続された腕力発電機と、地面に設置された踏み台と、該踏み台を昇降自在に支持するとともに踏み台の昇降動作を回転運動に変換する昇降機構部と、前記踏み台部に設置されて前記踏み台を上昇方向に付勢するばねと、前記昇降機構部に接続されて回転駆動される脚力発電機と、前記腕力発電機の出力端および前記脚力発電機の出力端に接続されるとともに携帯電話の充電端子が係脱自在に接続される出力端子とを備えたことを特徴とする。
なお、前記出力端子の出力電圧を表示する電圧計を備えることが好ましい。
また、前記腕力発電機または／および前記脚力発電機に調速機を設置することも可能である。
また、前記各構成部を縦長の筐体に収納または取り付けるとともに、筐体前面上部に画像表示用の表示パネルを設置することも可能である。
ここで、前記筐体前面に開閉扉を設置し前記筐体内部に折り畳み担架や、人口呼吸補助マスクを収納することも可能である。
さらに、前記筐体上方に広告用掲示板を設置したり、前記筐体に転倒防止用の取っ手を取り付けることも可能である。
【考案の効果】
【０００５】
以上述べたように本考案によれば、本考案に係る携帯電話充電装置が街頭に設置されると、外出中に携帯電話の充電が切れた携帯電話の所有者が、携帯電話充電装置の出力端子に、携帯電話の充電端子を接続して人力により充電することが可能になり、携帯電話所有者の利便性を向上することができる。
【考案を実施するための最良の形態】
【０００６】
以下、図に基づいて本考案の実施形態を説明する。
図１は本考案に係る携帯電話充電装置の正面図であり、図２は図１の側面図である。図示されるように、縦長で人間の背丈に近い高さの筐体１の右側面に手回しハンドル２が軸支されている。手回しハンドル２の回転軸は、筐体１内で腕力によって駆動される発電機（図示せず）に接続されていて、手回しハンドル２が回されると、発電機が回転して発電をする。また、筐体１の左側面には、転倒防止用の取っ手３が取り付けられている。取っ手３の上端の高さの筐体１の前面には、モニター用の画像表示パネル４が取り付けられて、画像表示パネル４は充電装置の使用方法を案内したり、映画の予告等の広告映像を表示する。なお、この表示は、充電中はもちろん充電終了後も一定時間表示する。
【０００７】
画像表示パネル４の下方には、前記発電機の発生電圧を表示する電圧計５および携帯電話の充電池の充電量を表示するモニター６が配置されている。電圧計５およびモニター６の下方には、奥の方向に後退して携帯充電部１０が形成されて、その携帯充電部１０の底部には、携帯電話の充電端子が接続される２組の出力端子７，８が配設されている。この出力端子７，８には、前記手回しハンドル２により回転駆動される発電機の出力端が接続されている。２組の出力端子７，８を設けたのは、携帯電話会社によって、充電端子の形状が異なるためである。携帯充電部１０の前面には、開閉自在にアクリル製扉が設置されて、内部への雨滴やゴミの侵入を阻止する。また、出力端子７，８の部分と、携帯充電部１０の底面の他の位置に、雨天時に浸入した雨水を排出するための水抜き孔が形成されている。
【０００８】
筐体１の上方の目線の高さには、広告用の掲示板９が配置されている。この掲示板９と筐体１との間を連結するスティ２４の部分には、この充電装置の使用方法や後述する救命器具の使用が記載されている。筐体１の下端前面には、踏み台１１が連結されている。踏み台１１は、基台１２の上方に４本のコイルばね１３を介して踏み板１４が支持されている。踏み板１４の下面には、ノコギリ型のギヤ１５がばね１６により時計方向に付勢されて支持され、ギヤ１５には大小の歯車を組み合わせた歯車列１７が噛合され、歯車列１７の末端には脚力により駆動される発電機１８が接続されている。なお、コイルばね１３の内部には、踏み板１４が水平のまま傾くことなく昇降するように案内するとともに、踏み板１４が一定速度で下降するようにオイルダンパ１９が設置されている。また、踏み台１１の側面外周には蛇腹２０が取り付けられてゴミ等の異物が内部が侵入しないようにしている。
【０００９】
図３および図４は、踏み台１１の動作を示す説明図である。踏み台１１に人が乗っていない状態が図３であり、踏み板１４が最上位に保持されている。この状態で、踏み板１４に足をのせて体重をかけると、コイルばね１３が縮小されながら、踏み板１４が下降する。すると、踏み板１４下面のギヤ１５が歯車列１７の最初の小歯車に押し当てられながら右方向に移動し、歯車列１７を回転駆動する。歯車列１７の回転は各歯車を伝わるごとに増速されて、末端に接続されている発電機１８を高速で回転駆動する。なお、このとき、ギヤ１５はばね１６により時計方向押圧されて、小歯車との噛み合い状態が保たれる。
【００１０】
発電機１８で発電された電力は、前述の出力端子７，８に送られる。踏み板１４が最下位まで下降した状態が図４であり、踏み板１４の下降が停止したら、踏み台１１に乗っていた足を下ろすと、今度は、コイルばね１３の復元力により、踏み板１４が上昇を開始しながら、ギヤ１５が下降時と逆方向に移動し、歯車列１７を逆方向に回転駆動する。その、結果、発電機１８は逆方向に回転駆動され、下降時と同様に発電して、その電力は出力端子７，８に送られる。
【００１１】
また、図１および図２に示されるように、筐体１の前面下部には、開閉扉２１が開閉自在に設置されており、開閉扉２１を開けた内部の下段には、折り畳み担架２２が、上段には人口呼吸補助マスク２３がそれぞれ収納されている。これらは、本装置が街頭に設置されているため、設置場所付近で交通事故等が発生した場合に、誰人も開閉扉２１を開いて、折り畳み担架２２や人口呼吸補助マスク２３を取り出して、救命用として使用することを可能にするものである。また、開閉扉２１の表面は広告用のスペースとして利用することも可能である。なお、図示しないが、腕力による発電機および脚力による発電機１８には、調速機を設けて、発電量を一定に保つように構成することも可能である。
【００１２】
以上のように構成された携帯電話充電装置は、街頭等に設置され、携帯電話の充電池の電池切れした人が自由に使用することができる。使用する場合は、操作が不案内の場合は、スティ２４に記載されている使用方法に従い、先ず、前面上部の携帯充電部１０の扉を開けて、携帯電話の充電端子を、接続可能な出力端子７，８のいずれかに装着する。次に、右手で手回しハンドル２を回転させるか、踏み台１１に乗るかのいずれかを選択する。手回しハンドル２を選択したら、右手で手回しハンドル２を回転させると、筐体１内の腕力によって駆動される発電機が回転駆動されて、発電された電力が出力端子７，８に送られて充電を開始する。発生した電圧は、電圧計５によって確認できる。また、充電の進み具合は、モニター６により確認することができる。
【００１３】
この充電操作中、画像表示パネル４には、広告画像や映画の予告画像、またはインターネットによって送られる画像等が表示されて、単調な充電操作を飽きさせないようしてくれる。モニター６により、充電が終了したことが確認されたら、手回しハンドル２の操作を停止し、携帯充電部１０の出力端子７，８に装着されている携帯電話を取り出して終了する。また、充電を手回しでなく、踏み台１１に乗って充電することを選択した場合は、転倒防止用の取っ手３を左手で握り、踏み台１１に登り、体重を踏み台１１にかける。このとき、両足を乗せても良いし、片足だけでも良い。踏み台１１に体重がかかると、前述したように踏み板１４が下降を開始し、脚力により駆動される発電機１８が回転駆動されて発電し、発電された電力が出力端子７，８に送られて充電を開始する。
【００１４】
発生した電圧は、電圧計５によって確認できる。また、充電の進み具合は、モニター６により確認することができる。踏み板１４が最下位まで下降したら、踏み板１４からおりる。すると、踏み板１４がコイルばね１３の復元力により上昇を開始し、その上昇中も発電して電力が出力端子７，８に送られる。踏み板１４が最上位まで上昇した時点でまだ充電が完了しなければ、再度、踏み板１４にのり繰り返して発電を続ける。この充電操作中は、手回し操作のときと同様に、画像表示パネル４には、広告画像や映画の予告画像、またはインターネットによって送られる画像等が表示されて、単調な充電操作を飽きさせないようしてくれる。次に、モニター６により、充電が終了したことが確認されたら、踏み台１１にのることを止めて、携帯充電部１０の出力端子７，８に装着されている携帯電話を取り出して終了する。
【００１５】
なお、この携帯電話充電装置は、構造的に、腕力用の発電機と脚力用の発電機１８の両方を同時に回転駆動させることも可能であるので、右手で手回しハンドル２を回転させながら、左手で取っ手３を握り、踏み台１１へ登ったり下りたりを繰り返すことも可能である。この場合は、両方が同時に回転駆動されるため発電量も大きくなるので、充電を急ぐ場合はこの方法をとることも可能である。
【００１６】
また、この携帯電話充電装置には、内部に折り畳み担架２２および人口呼吸補助マスク２３が収納されている。そのため、設置場所の近くで交通事故等が発生したり、急病人が発生した場合には、誰人も開閉扉２１を開いて、折り畳み担架２２や人口呼吸補助マスク２３を取り出して、救命用として使用することができる。また、開閉扉２１の表面は広告用のスペースがあるため、商業広告に利用したり、所番地を表示することにも利用可能である。
【産業上の利用可能性】
【００１７】
本考案は、街頭に設置して利用する以外に、駅構内、公共施設内等の公衆が往来する場所に設置可能である。
【図面の簡単な説明】
【００１８】
【図１】本考案に係る携帯電話充電装置の正面図である。
【図２】図１の側面図である。
【図３】踏み台の上昇位置での動作を示す説明図である。
【図４】踏み台の下降位置での動作を示す説明図である。
【符号の説明】
【００１９】
１  筐体
２  手回しハンドル
３  取っ手
４  画像表示パネル
５  電圧計
６  モニター
７，８  出力端子
９  掲示板
１０  携帯充電部
１１  踏み台
１２  基台
１３  コイルばね
１４  踏み板
１５  ギヤ
１６  ばね
１７  歯車列
１８  発電機
１９  オイルダンパ
２０  蛇腹
２１  開閉扉
２２  折り畳み担架
２３  人口呼吸補助マスク
２４  スティ
【図１】
0003103909.tif 000003
【図２】
0003103909.tif 000004
【図３】
0003103909.tif 000005
【図４】
0003103909.tif 000006